(57)【要約】  互いに係合し、開形態と閉形態との間で互いに対して移動可能な前側スーツケースシェル（１６）および後側スーツケースシェル（１８）と、前側スーツケースシェルと係合し、開位置と閉位置との間で前側スーツケースシェルに対して移動可能な前側カバー（２０）と、前側スーツケースシェルの内周面に取り付けられた仕切り（３２）と、を含み、前側スーツケースシェルおよび後側スーツケースシェルが閉形態であり、かつ前側カバーが閉位置にあるとき、仕切りはスーツケースの内部空間を第１の空間と第２の空間とに仕切り、前側スーツケースシェルおよび後側スーツケースシェルが開形態であるとき、第１の空間はアクセス可能であり、前側カバーが開位置にあるとき、第２の空間はアクセス可能であり、仕切りは、第１の空間の大きさと第２の空間の大きさを変更するために、前側スーツケースシェルに対して移動可能である、スーツケース（１０）が開示される。
2019500183.tif 000002
【特許請求の範囲】
【請求項１】
スーツケースであって、
互いに係合し、開形態と閉形態との間で互いに対して移動可能な第１の胴体部分および第２の胴体部分と、
前記第１の胴体部分と係合し、開位置と閉位置との間で前記第１の胴体部分に対して移動可能なカバーと、
前記第１の胴体部分の内周面に取り付けられた仕切りと、を含み、
前記第１の胴体部分および前記第２の胴体部分が前記閉形態であり、かつ前記カバーが前記閉位置にあるとき、前記仕切りは前記スーツケースの内部空間を第１の空間と第２の空間とに仕切り、
前記第１の胴体部分および前記第２の胴体部分が前記開形態であるとき、前記第１の空間はアクセス可能であり、
前記カバーが前記開位置にあるとき、前記第２の空間はアクセス可能であり、
前記仕切りは、前記第１の空間の大きさと前記第２の空間の大きさを変更するために、前記第１の胴体部分に対して移動可能であり、
前記仕切りは、互いに固定された仕切り面およびループ形状部材を備える、スーツケース。
【請求項２】
前記ループ形状部材は、前記第１の胴体部分の前記内周面と固く係合している、請求項１に記載のスーツケース。
【請求項３】
前記ループ形状部材は、前記第１の胴体部分に対して枢動可能である、請求項２に記載のスーツケース。
【請求項４】
前記ループ形状部材は、第１の連続主表面と反対側の第２の連続主表面とを有し、前記ループ形状部材は、前記第１の連続主表面が前記第１の胴体部分の前記内周面と接触する第１位置と、前記第２の連続主表面が前記第１の胴体部分の前記内周面と接触する第２位置との間で、前記第１の胴体部分に対して移動可能である、請求項３に記載のスーツケース。
【請求項５】
前記第１の胴体部分の前記内周面は、連続的で無端である、請求項１〜４のいずれか１項に記載のスーツケース。
【請求項６】
前記第１の胴体部分と前記第２の胴体部分の各々は、硬い外表面を有する、請求項１〜５のいずれか１項に記載のスーツケース。
【請求項７】
前記ループ形状部材は、縫製により前記第１の胴体部分の前記内周面と固く係合している、請求項２に記載のスーツケース。
【発明の詳細な説明】
【技術分野】
【０００１】
本発明は、スーツケースに関する。
【背景技術】
【０００２】
前側ポケットを備えたスーツケースは、通常、メインスーツケースコンパートメントの前側部分にアクセスすることを可能にする開口を有していない。この種類のスーツケースは、とても浅い前側ポケットを有している。そのような前側ポケットに格納された物品は、前側ポケットが偶発的に衝撃を受けると、簡単に破損または損傷し得る。開口を有するスーツケースは、スーツケースのメインコンパートメントの前側半分をその前側ポケットとして利用している。そのような種類のスーツケースのメイン格納コンパートメントの格納容積は、著しく減少する。これらの配置はいずれも理想的ではない。
【発明の概要】
【発明が解決しようとする課題】
【０００３】
それゆえ、本発明の目的は、前述した欠点が軽減されたスーツケースを提供すること、または少なくとも産業と使用者に有用な代替品を提供することである。
【課題を解決するための手段】
【０００４】
本発明によれば、スーツケースであって、互いに係合し、開形態と閉形態との間で互いに対して移動可能な第１の胴体部分および第２の胴体部分と、前記第１の胴体部分と係合し、開位置と閉位置との間で前記第１の胴体部分に対して移動可能なカバーと、前記第１の胴体部分の内周面に取り付けられた仕切りと、を含み、前記第１の胴体部分および前記第２の胴体部分が前記閉形態であり、かつ前記カバーが前記閉位置にあるとき、前記仕切りは前記スーツケースの内部空間を第１の空間と第２の空間とに仕切り、前記第１の胴体部分および前記第２の胴体部分が前記開形態であるとき、前記第１の空間はアクセス可能であり、前記カバーが前記開位置にあるとき、前記第２の空間はアクセス可能であり、前記仕切りは、前記第１の空間の大きさと前記第２の空間の大きさを変更するために、前記第１の胴体部分に対して移動可能であり、前記仕切りは、互いに固定された仕切り面およびループ形状部材を備える、スーツケースが提供される。
【０００５】
本発明の実施形態によるスーツケースは、添付図面を参照しながら、単なる例として、以下に記述される。
【図面の簡単な説明】
【０００６】
【図１Ａ】図１Ａは、前側ポケットが閉位置にある本発明によるスーツケースの斜視図である。
【図１Ｂ】図１Ｂは、前側ポケットが開位置にある図１Ａのスーツケースの斜視図である。
【図２】図２は、図１Ａのスーツケースの仕切りの斜視図である。
【図３Ａ】図３Ａは、仕切りが後方位置にあることを示す（前側ポケットが取り除かれた）図１Ａのスーツケースの斜視図である。
【図３Ｂ】図３Ｂは、仕切りが前方位置にあることを示す（前側ポケットが取り除かれた）図３Ａのスーツケースの斜視図である。
【図４Ａ】図４Ａは、仕切りが後方位置にあることを示す図１Ａのスーツケースの側面図である。
【図４Ｂ】図４Ｂは、仕切りが前方位置にあることを示す図４Ａのスーツケースの側面図である。
【発明を実施するための形態】
【０００７】
本発明の実施形態によるスーツケースは、図１Ａおよび図１Ｂに示され、概して“１０”で指定される。スーツケース１０は、上ハンドル１２と、サイドハンドル１４と、前側スーツケースシェル１６と、後側スーツケースシェル１８と、前側カバー２０と、を有している。前側スーツケースシェル１６と後側スーツケースシェル１８はいずれも、硬い外表面を有するように硬い材料で作製されている。４つのホイール２２がスーツケース１０の下部に取り付けられており、２つは前側スーツケースシェル１６の下方に取り付けられ、２つは後側スーツケースシェル１８の下方に取り付けられている。
【０００８】
前側スーツケースシェル１６と後側スーツケースシェル１８は、共同して内部にメインコンパートメントを備えたスーツケース１０の本体を形成しており、それらは固く取り付けられており、互いに対して移動可能である。メインコンパートメントジッパー２４は、前側スーツケースシェル１６と後側スーツケースシェル１８を互いに対して移動可能にするように、前側スーツケースシェル１６と後側スーツケースシェル１８との間に設けられている。前側スーツケースシェル１６と後側スーツケースシェル１８が開いているとき、メインコンパートメントにアクセスすることができ、前側スーツケースシェル１６と後側スーツケースシェル１８が閉じているとき、メインコンパートメントへのアクセスは拒否される。
【０００９】
前側カバー２０と前側スーツケースシェル１６は、固く取り付けられており、互いに対して移動可能である。前側ポケットジッパー２６は、前側カバー２０と前側スーツケースシェル１６を互いに対して移動可能（例えば、枢動可能）にするように、前側カバー２０と前側スーツケースシェル１６との間に設けられている。前側カバー２０と前側スーツケースシェル１６が開いているとき、前側ポケット空間２８にアクセスすることができ、前側カバー２０と前側スーツケースシェル１６が閉じているとき、前側ポケット空間２８へのアクセスは拒否される。
【００１０】
図２を見ると、可動仕切り３０が示されている。可動仕切り３０は、互いに固く係合した仕切り３２およびループ形状ベルト３４を有している。また、ベルト３４は、ベルト３４が前側スーツケースシェル１６に対して枢動可能になるように、アンカーライン３６に沿って前側スーツケースシェル１６の連続的で無端な内表面に（例えば、縫製により）固定されている。アンカーライン３６は、好ましくは、前側スーツケースシェル１６の前端と後端との間の中間であって平面Ａ上に存在する連続線に沿って設けられている。このような配置によって、可動仕切り３０は、ベルト３４の第１の連続主表面が前側スーツケースシェル１６の内周面と接触する第１位置と、（第１の連続主表面と反対側の）第２の連続主表面が前側スーツケースシェル１６の内周面と接触する第２位置との間で、前側スーツケースシェル１６に対して移動可能であってもよい。２つの位置の間での前側スーツケースシェル１６に対するベルト３４のこのような動きは、スーツケース１０内の可動仕切り３０の前後の動きをもたらす。
【００１１】
図３Ａ、図３Ｂ、図４Ａおよび図４Ｂに示されるように、仕切り３２は、前側カバー２０に近づいた（図３Ｂおよび図４Ｂに示されるような）前方位置と後側スーツケースシェル１８に近づいた（図３Ａおよび図４Ａに示されるような）後方位置との間で、スーツケース１０の内部空間内で前後に移動されてもよい。仕切り３２は、スーツケース１０の内部空間を次の二つの空間に区切る：（ｉ）後側スーツケースシェル１８と後側スーツケースシェル１８に対向する仕切り３２の第１の主表面との間のメインコンパートメント；（ｉｉ）前側カバー２０と前側カバー２０に対向する（第１の主表面と反対側の）仕切り３２の第２の主表面との間の前側ポケット空間２８。ベルト３４が可動のため、メインコンパートメントの大きさと前側ポケット空間２８の大きさを変更するためにスーツケース１０の内部空間内において仕切り３２を動かすことができる。
【００１２】
このような配置によって、ユーザが必要に応じてメインコンパートメントの大きさと前側ポケット空間２８の大きさをアレンジすることができるような、より順応性のある内部空間を備えたスーツケース１０が提供される。加えて、スーツケース１０の前側ポケット空間２８が現存のスーツケースにおける前側カバーポケットよりも大きいため、偶発的に衝撃を受けたときに物品が損傷する機会を少なくしつつ前側ポケット空間２８に物品を格納することができる。
【００１３】
上記は本発明が実施され得る例を図示しただけであり、本発明の思想から逸脱することなくそれに対し種々の変形および／または改造がなされ得ることは理解されるべきである。また、簡略のため、一の実施形態の文脈で記述された本発明の種々の特徴は、別々に、または適切に部分的に組み合わせて提供され得ることも理解されるべきである。
【図１Ａ】
2019500183.tif 000003
【図１Ｂ】
2019500183.tif 000004
【図２】
2019500183.tif 000005
【図３Ａ】
2019500183.tif 000006
【図３Ｂ】
2019500183.tif 000007
【図４Ａ】
2019500183.tif 000008
【図４Ｂ】
2019500183.tif 000009
【国際調査報告】
2019500183.tif 000010
2019500183.tif 000011